(57)【要約】【課題】仮設足場への取付け、取外しの作業性に優れ、確実かつ安定した状態に取付けることができ、軽量で取扱性に優れるとともに、保管や運搬時に嵩張ることなくコンパクトに積み重ねることができ、製品コストも抑えることができる足場用幅木を提供すること。【解決手段】仮設足場を構成する横架材間の距離に応じて所定の長さと幅に形成された幅木本体２と、幅木本体２の両端部から各々下方に向けて取り付けられた、横架材に掛止させるための一対の掛止片１２を有する掛止部材１１Ａ、１１Ｂとを備え、一方の掛止部材１１Ａが、少なくとも一対の掛止片１２を横架材に掛止させる掛止位置と一対の掛止片１２を横架材から開放する開放位置との間で回動可能であり、かつ引張バネ２０により一対の掛止片１２が掛止位置方向に付勢された状態で幅木本体２に枢着されている。【選択図】図１
0003160446.tif 000002
【実用新案登録請求の範囲】
【請求項１】
仮設足場を構成する横架材間の距離に応じて所定の長さと幅に形成された幅木本体と、
該幅木本体の両端部から各々下方に向けて取り付けられた、前記横架材に掛止させるための一対の掛止片を有する掛止部材とを備え、
該掛止部材の少なくとも一方が、少なくとも前記一対の掛止片を前記横架材に掛止させる掛止位置と前記一対の掛止片を前記横架材から開放する開放位置との間で回動可能であり、かつ弾性部材により前記一対の掛止片が前記掛止位置の方向に付勢された状態で前記幅木本体に枢着されていることを特徴とする足場用幅木。
【請求項２】
前記幅木本体が、所定の長さと幅を有する起立面板の上下端部に折返し壁が形成された部材で構成され、
前記掛止部材が、前記起立面板に枢着される取付板と、該取付板の下端に二股状に一体形成された前記一対の掛止片とで構成され、
前記取付板が枢着される前記起立面板の端部に、前記掛止部材の回動中心となる第１の軸部材が枢着される第１の孔部と、第２の軸部材が挿着される、前記掛止部材の回動範囲を規定する横長形状をした第２の孔部とが形成され、
前記第１の孔部に前記第１の軸部材が枢着され、前記第２の孔部に前記第２の軸部材が挿着された状態で、前記第１の軸部材と前記第２の軸部材とが、前記取付板に固着され、かつ該取付板の上端部が、前記弾性部材を介して前記幅木本体の内方に付勢された状態で前記起立面板に連結されていることを特徴とする請求項１記載の足場用幅木。
【請求項３】
前記幅木本体が、所定の長さと幅を有する起立面板の上下端部に折返し壁が形成された部材で構成され、
前記掛止部材が、前記起立面板に枢着される取付板と、該取付板の下端に二股状に一体形成された前記一対の掛止片とで構成され、
前記取付板が枢着される前記起立面板の端部に、前記掛止部材の回動中心となる第１の軸部材が挿着される縦長形状をした第１の孔部、及び第２の軸部材が挿着される、前記掛止部材の回動範囲を規定する横長孔と、前記第２の軸部材が嵌め込まれることにより前記掛止部材の回動が阻止される縦長孔とが連通された形状をした第２の孔部が形成され、
前記第１の孔部の下方に前記第１の軸部材を位置させるとともに、前記第２の孔部の前記横長孔の外方に前記第２の軸部材を位置させた状態で、前記第１の軸部材と前記第２の軸部材とが、前記取付板に固着され、かつ該取付板の上端部が、前記弾性部材を介して前記幅木本体の内方に付勢された状態で前記起立面板に連結され、
前記起立面板に枢着された前記掛止部材の前記一対の掛止片が前記横架材に掛止された状態で、前記幅木本体が下方へ押圧されると、前記第２の孔部の前記縦長孔に前記第２の軸部材が嵌め込まれるともに、前記第１の孔部の上方に前記第１の軸部材が位置することで前記掛止部材の回動が阻止されることを特徴とする請求項１記載の足場用幅木。
【請求項４】
少なくとも前記幅木本体に枢着された前記掛止部材の掛止片の下端部に、前記横架材に当接させる傾斜案内部が形成され、
該傾斜案内部の上に略円弧形状をした掛止部が形成され、
前記傾斜案内部の上端部が、前記掛止部の円弧上端部より内方に位置していることを特徴とする請求項１〜３のいずれかの項に記載の足場用幅木。
【請求項５】
前記幅木本体の長さが、規定されている前記横架材間の中心軸間距離より、４ｍｍ〜９ｍｍ短く設定されていることを特徴とする請求項１〜４のいずれかの項に記載の足場用幅木。
【考案の詳細な説明】
【技術分野】
【０００１】
本考案は足場用幅木に関し、より詳細には、作業者の転落事故や工具類などの落下を防止するために、仮設足場における足場板の側縁部に起立状に設置される足場用幅木に関する。
【背景技術】
【０００２】
建設業等において仮設足場からの墜落防止等の対策強化を図るため、仮設足場からの墜落防止措置等に関し、労働安全衛生規則の一部が改正され、昨年６月１日より、仮設足場における足場板（床材）の周囲に幅木を設置することなどが義務化されることとなった。
【０００３】
従来より、安全対策のため自主的に仮設足場における足場板の周囲に幅木を設置することも行われていたが、その設置方法の多くは、板材からなる幅木を仮設足場の建地（脚柱）に番線（太い針金）で縛り付けるものであった。そのため、取付作業が極めて面倒で、作業時間がかかり、番線の締め付けが不十分であると幅木が外れてしまう虞もあり、また、足場解体時、番線は切断されるため、切り屑となり、繰り返し使用することもできないという課題があった。そこで近年、これらの課題を解決するための足場用幅木が種々提案されている。
【０００４】
図７は、下記の特許文献１に開示された足場用幅木を説明するための図であり、（ａ）は、足場用幅木を足場板に設置する前の状態を示した斜視図であり、（ｂ）は、足場用幅木を足場板に設置した後の状態を示した斜視図である。なお、図７では、足場用幅木の一端側を示しているが、他端側も同様の構成となっている。
【０００５】
図中６０は、足場用幅木を示しており、足場用幅木６０は、足場板５１の側縁部上に起立状に設置される幅木本体６１を有し、この幅木本体６１の前後各端部に、端部キャップ６２と、足場板５１の外側端面に支持されるアウトガイド６３と、足場用建枠の横架材５２に掛合されるキャッチガイド６４と、このキャッチガイド６４を横架材５２に掛合させてロックするロック手段６５とが設けられている。
【０００６】
キャッチガイド６４は、端部キャップ６２に垂下状態で前後方向揺動自在に枢支されて、その下端掛合部６４ａが足場板係止用フック５３の内側面近接位置で足場板５１の前後端面と足場用建枠の横架材５２との間に突入し、ロック手段６５により横架材５２に掛合ロックされるようになっている。
【０００７】
また、ロック手段６５は、キャッチガイド６４の枢着部６６より下方位置でキャッチガイド６４に対しその後方より進退移動自在に端部キャップ６２に取り付けられるロックピン６７と、キャッチガイド６４が常時ロック解除状態となるようにロックピン６７を付勢するバネ６８とからなり、ロックピン６７は後端部に折曲部６７ａを有し、このロックピン６７をバネ６８の付勢力に抗し前方へ押動してキャッチガイド６４を足場用建枠の横架材５２に掛合させた後、ロックピン６７を所要角度回転させて、その後端折曲部６７ａをストッパー６９に係止させることにより、キャッチガイド６４をロックするようになっている。
【０００８】
しかしながら、特許文献１記載の足場用幅木６０は、構成部品の数が多いため、製作コストが高く付き、また、キャッチガイド６４をロックするため、及びロックを解除するためのロックピン６７の操作が煩雑であった。また、端部キャップ６２が、幅木本体６１の両側端面を覆うように設けられているので、幅木本体６１に断面略コの字形状をした部材を使用した場合であっても、保管や運搬時に複数の幅木を積み重ねる場合に、端部キャップ６２が邪魔となり、コンパクトに（コの字の凹面を互いにかみ合わせた状態にして）重ね合わせることができず、嵩張ってしまうという課題があった。
【先行技術文献】
【特許文献】
【０００９】
【特許文献１】特許第３７８４０５３号公報
【考案の概要】
【課題を解決するための手段及びその効果】
【００１０】
本考案は上記課題に鑑みなされたものであって、仮設足場への取り付け及び取り外しの際の作業性に優れ、ガタ付くことなく確実に安定した起立状態に取り付けることができ、軽量で取扱性に優れるとともに、保管や運搬時に嵩張ることなくコンパクトに積み重ねることができ、製品コストも抑えることができる足場用幅木を提供することを目的としている。
【００１１】
上記目的を達成するために本考案に係る足場用幅木（１）は、仮設足場を構成する横架材間の距離に応じて所定の長さと幅に形成された幅木本体と、該幅木本体の両端部から各々下方に向けて取り付けられた、前記横架材に掛止させるための一対の掛止片を有する掛止部材とを備え、該掛止部材の少なくとも一方が、少なくとも前記一対の掛止片を前記横架材に掛止させる掛止位置と前記一対の掛止片を前記横架材から開放する開放位置との間で回動可能であり、かつ弾性部材により前記一対の掛止片が前記掛止位置の方向に付勢された状態で前記幅木本体に枢着されていることを特徴としている。
【００１２】
上記足場用幅木（１）によれば、前記幅木本体の両端部に前記一対の掛止片を有する掛止部材が取り付けられ、該掛止部材の少なくとも一方が、少なくとも前記一対の掛止片を前記横架材に掛止させる掛止位置と前記一対の掛止片を前記横架材から開放する開放位置との間で回動可能であり、かつ弾性部材により前記一対の掛止片が前記掛止位置の方向に付勢された状態で前記幅木本体に枢着されているので、前記幅木本体に枢着された前記掛止部材を前記弾性部材の付勢力に抗して前記開放位置の方向に回動させた後、前記掛止片を前記横架材に掛止させることにより、前記掛止片が前記弾性部材の付勢力によって前記横架材に対して押圧状態で掛止される。
【００１３】
したがって、足場用幅木を前記横架材間に簡単かつ確実にガタ付くことなく安定した起立状態に取り付けることができ、取り付ける際の作業性を高めることができる。また、取り外す場合も、前記幅木本体に枢着された前記掛止部材を前記弾性部材の付勢力に抗して前記開放位置の方向に回動させるだけで、前記掛止片を前記横架材から取り外すことができ、取り外す際の作業性も高めることができる。また、構成する部品点数が少なく、その作製が容易であるとともに、コストを抑えることができ、安価な足場用幅木を提供することができる。
【００１４】
また本考案に係る足場用幅木（２）は、上記足場用幅木（１）において、前記幅木本体が、所定の長さと幅を有する起立面板の上下端部に折返し壁が形成された部材で構成され、前記掛止部材が、前記起立面板に枢着される取付板と、該取付板の下端に二股状に一体形成された前記一対の掛止片とで構成され、前記取付板が枢着される前記起立面板の端部に、前記掛止部材の回動中心となる第１の軸部材が枢着される第１の孔部と、第２の軸部材が挿着される、前記掛止部材の回動範囲を規定する横長形状をした第２の孔部とが形成され、前記第１の孔部に前記第１の軸部材が枢着され、前記第２の孔部に前記第２の軸部材が挿着された状態で、前記第１の軸部材と前記第２の軸部材とが、前記取付板に固着され、かつ該取付板の上端部が、前記弾性部材を介して前記幅木本体の内方に付勢された状態で前記起立面板に連結されていることを特徴としている。
【００１５】
上記足場用幅木（２）によれば、上記足場用幅木（１）で得られる効果に加えて、さらに、保管や運搬時に足場用幅木を積み重ねる際、前記幅木本体の前記折返し壁が形成された凹面を互いに向かい合わせて、互いの前記折返し壁部分を噛み合せた状態でコンパクトに重ね合わせることができ、保管スペースや運搬コストの削減を図ることができ、また、軽量で取扱性に優れたものとすることができる。
【００１６】
また本考案に係る足場用幅木（３）は、上記足場用幅木（１）において、前記幅木本体が、所定の長さと幅を有する起立面板の上下端部に折返し壁が形成された部材で構成され、前記掛止部材が、前記起立面板に枢着される取付板と、該取付板の下端に二股状に一体形成された前記一対の掛止片とで構成され、前記取付板が枢着される前記起立面板の端部に、前記掛止部材の回動中心となる第１の軸部材が挿着される縦長形状をした第１の孔部、及び第２の軸部材が挿着される、前記掛止部材の回動範囲を規定する横長孔と、前記第２の軸部材が嵌め込まれることにより前記掛止部材の回動が阻止される縦長孔とが連通された形状をした第２の孔部が形成され、前記第１の孔部の下方に前記第１の軸部材を位置させるとともに、前記第２の孔部の前記横長孔の外方に前記第２の軸部材を位置させた状態で、前記第１の軸部材と前記第２の軸部材とが前記取付板に固着され、かつ該取付板の上端部が、前記弾性部材を介して前記幅木本体の内方に付勢された状態で前記起立面板に連結され、前記起立面板に枢着された前記掛止部材の前記一対の掛止片が前記横架材に掛止された状態で、前記幅木本体が下方へ押圧されると、前記第２の孔部の前記縦長孔に前記第２の軸部材が嵌め込まれるともに、前記第１の孔部の上方に前記第１の軸部材が位置することで前記掛止部材の回動が阻止されることを特徴としている。
【００１７】
上記足場用幅木（３）によれば、前記横架材に取り付ける場合、前記起立面板に枢着された前記掛止部材の前記一対の掛止片を前記横架材上に載せて押圧すると、前記第１の軸部材が前記第１の孔部の下方に位置したまま、前記弾性部材の付勢力に抗して、前記一対の掛止片が内方へ回動していく（前記第２の軸部材は前記横長孔に沿って内方へ移動していく）。
その後、前記一対の掛止片が前記横架材に掛止されると、前記弾性部材の付勢力により前記一対の掛止片が外方へ回動し（前記第２の軸部材は前記横長孔に沿って外方へ戻り）、この状態のまま、前記幅木本体が下方へ押圧されると、前記第２の孔部の前記縦長孔に前記第２の軸部材が嵌め込まれるともに、前記第１の孔部の上方に前記第１の軸部材が位置すように前記幅木本体が押し下げられることによって、前記掛止部材の回動が阻止（ロック）される。
【００１８】
したがって、前記横架材間に取り付けられた状態では、前記掛止部材の回動を阻止（ロック）することができ、前記幅木本体の起立面板に水平方向からの荷重が加わった場合でも、前記掛止部材が不意に回動して前記横架材から外れてしまう虞がなく、取付安定性を一層高めることができる。また、取り外す際には、前記幅木本体を上方に持ち上げるだけで、前記掛止部材の回動阻止（ロック）状態が解除されるので、ロック解除に煩雑な操作が必要なく、作業性を損なうことなく、前記掛止部材の回動阻止（ロック）とその解除とを行うことができる。
また、上記足場用幅木（２）と同様、保管や運搬時に足場用幅木を積み重ねる場合に、前記幅木本体の前記折返し壁が形成された凹面を互いに向かい合わせて、互いの前記折返し壁部分を噛み合せた状態でコンパクトに重ね合わせることができ、保管スペースや運搬コスの削減を行うことができ、また、軽量で取扱性に優れたものとすることができる。
【００１９】
また本考案に係る足場用幅木（４）は、上記足場用幅木（１）〜（３）のいずれかにおいて、少なくとも前記幅木本体に枢着された前記掛止部材の掛止片の下端部に、前記横架材に当接させる傾斜案内部が形成され、該傾斜案内部の上に略円弧形状をした掛止部が形成され、前記傾斜案内部の上端部が、前記掛止部の円弧上端部より内方に位置していることを特徴としている。
【００２０】
上記足場用幅木（４）によれば、前記幅木本体に枢着された前記掛止部材の前記傾斜案内部を上方より前記横架材に押し当てるだけで、前記掛止部材の掛止片が、前記弾性部材の付勢力に抗して前記開放位置方向に回動し、その後、前記掛止部が、前記弾性部材による付勢力によって前記横架材に押圧状態で掛止される。したがって、足場用幅木を仮設足場の横架材間にワンタッチで簡単かつ確実に取り付けることができ、取り外す場合は、前記幅木本体に枢着された前記掛止部材側の幅木本体を上方に持ち上げるだけで、確実に取り付けられた状態からでも容易に取り外すことができ、作業効率を一層高めることができる。
【００２１】
また本考案に係る足場用幅木（５）は、上記足場用幅木（１）〜（４）のいずれかにおいて、前記幅木本体の長さが、規定されている前記横架材間の中心軸間距離より、４ｍｍ〜９ｍｍ短く設定されていることを特徴としている。
【００２２】
上記足場用幅木（５）によれば、前記幅木本体の長さが、規定されている前記横架材間の中心軸間距離より、４ｍｍ〜９ｍｍ短く設定されているので、足場に取り付ける際に、一方の前記掛止部材の掛止片を前記横架材に掛止させて、他方の前記掛止部材の掛止片の下端部を前記横架材に当てた状態、すなわち、前記幅木本体を斜めに傾かせた状態でも、隣りに既設された足場用幅木との接触や干渉を防止することができる。
したがって、足場への取付けや取外し時に、隣りに既設された足場用幅木との接触や干渉を避けるために、前記掛止部材の掛止片の掛止位置を前記横架材の軸方向にずらしたりする作業や手間をなくすことができ、取付けや取外し時の作業性を一層高めることができる。
【図面の簡単な説明】
【００２３】
【図１】本考案の実施の形態（１）に係る足場用幅木を示した図であり、（ａ）は正面図、（ｂ）は背面図である。
【図２】実施の形態（１）に係る足場用幅木を示した図であり、（ａ）は右側面図、（ｂ）は左側面図である。
【図３】（ａ）〜（ｃ）は、実施の形態（１）に係る足場用幅木を横架材間へ取り付ける手順を説明するための正面図である。
【図４】実施の形態（２）に係る足場用幅木を示した図であり、（ａ）は正面図、（ｂ）は背面図である。
【図５】実施の形態（２）に係る足場用幅木の一端側の部分拡大背面図である。
【図６】（ａ）〜（ｃ）は、実施の形態（２）に係る足場用幅木を横架材間へ取り付ける手順を説明するための部分背面図である。
【図７】従来の足場用幅木の取付け状態を説明するための一端側部分の斜視図であり、（ａ）は足場板に設置する前の状態、（ｂ）は足場板に設置した後の状態を示している。
【考案を実施するための形態】
【００２４】
以下、本考案に係る足場用幅木の実施の形態を図面に基づいて説明する。図１は、実施の形態（１）に係る足場用幅木を示した図であり、（ａ）は外面側から見た正面図、（ｂ）は背面図であり、図２（ａ）は右側面図、図２（ｂ）は左側面図である。
【００２５】
図中１は、仮設足場を構成する横架材に掛止させて、横架材間に架設された足場板の側縁部に起立状に設置される足場用幅木を示している。足場用幅木１は、仮設足場を構成する横架材間の距離に応じて所定の長さと幅に形成された幅木本体２と、横架材間に架設された足場板の係止フックを挟んだ状態で横架材に掛止させるために、幅木本体２の両端部から各々下方に向けて取り付けられた一対の掛止片１２を有する掛止部材１１Ａ、１１Ｂとを備えている。
【００２６】
幅木本体２は、アルミや鋼板等を用いて、所定の長さと幅を有する起立面板２ａの上下端部に外面側への略Ｌ字形状の折返し壁２ｂ、２ｃが形成された部材（Ｃ型チャンネル材）で構成されており、両端下部には、略Ｌ字形状の切欠部３、４が形成されている。幅木本体２の長さＬは、規定されている横架材間の中心軸間距離Ｌａ（図３参照）より、４ｍｍ〜９ｍｍ程度短くなるように設定されている。例えば、規定の中心軸間距離Ｌａが１８２９ｍｍの場合、対応する幅木本体２の長さＬが１８２５ｍｍに設定される。
【００２７】
掛止部材１１Ａ、１１Ｂは、アルミや鋼板等を用いて、起立面板２ａの端部に取り付けられる略矩形の取付板１３の下端から一対の掛止片１２が所定間隔（すなわち、隣合う足場板の係止フックどうしを挟むことのできる間隔）を設けて、下向き略コの字形状（二股状）に一体形成された構造となっている。
【００２８】
一方の掛止部材１１Ａは、少なくとも掛止片１２を横架材に掛止させる掛止位置と、横架材に掛止された掛止片１２を横架材から開放する開放位置との間で回動可能に幅木本体２に枢着され、かつ引張バネ（弾性部材）２０により掛止片１２が掛止位置の方向（矢印Ｂ方向）に付勢されている状態で取り付けられている。
【００２９】
すなわち、起立面板２ａの背面視左側端部の中央より上方位置に、ボルト２１が挿入されるボルト孔（図示せず）が形成され、起立面板２ａの背面視左側端部の中央より下方位置（切欠部３の上方位置）に、ボルト２１を回動中心として、掛止部材１１Ａを掛止位置と開放位置との間で回動させる範囲を規定するための長孔５が形成されており、掛止部材１１Ａの取付板１３が、ボルト２１・ナット２２によって起立面板２ａの外面側端部に回動可能に軸着されるとともに、長孔５に沿って摺動可能に係合されたボルト２３・ナット２４によって、掛止部材１１Ａの回動範囲が規制されるように結合されている。
【００３０】
また、掛止部材１１Ａの取付板１３の上端に形成されたバネ係止部１４には、取付板１３の上端部を内方に付勢する引張バネ２０の一端側が係止され、引張バネ２０の他端側が、起立面板２ａに形成された係止孔６に係止されている。係止孔６は、掛止部材１１Ａの取付板１３と、引張バネ２０とのなす角度が９０°前後となるよう、起立面板２ａの中央より上方位置に形成することが好ましい。
【００３１】
引張バネ２０は、耐久性を有するステンレス鋼線等を用いた引張コイルバネからなり、例えば、線径２ｍｍ程度、巻数１７前後、コイル外径１５ｍｍ程度、長さ５０ｍｍ程度で、バネ定数（ｋ）が１．２７〜１．５０（Ｎ／ｍｍ）程度に設計された引張コイルバネが採用され得る。なお、前記バネ定数（ｋ）は、バネに負荷を加えた時の、荷重Ｐ（Ｎ）を伸び（変位δ）（ｍｍ）で割った比例定数、すなわち、ｋ＝Ｐ／δ（Ｎ／ｍｍ）で表せる定数を示している。
上記バネ定数を有している引張バネ２０を使用することにより、作業者にとって負担にならない力で取付け、取外し作業が行えるとともに、バネの弾性力を利用して、足場用幅木１を横架材間に安定した起立状態に取り付けることが可能となる。
【００３２】
また、他方の掛止部材１１Ｂは、幅木本体２に固着されている。すなわち、起立面板２ａの背面視右側端部の中央より上方位置と下方位置とに、掛止部材１１Ｂの取付板１３を固着するためのボルト２５、２６が挿入されるボルト孔（図示せず）が形成され、これらボルト孔に装着されたボルト２５、２６、ナット２７、２８によって掛止部材１１Ｂの取付板１３が、起立面板２ａの外面側端部に固着されている。なお、掛止部材１１Ｂを幅木本体２に固着する方法は、上記方法の他、リベットを用いてかしめる方法などが適用できる。
【００３３】
掛止部材１１Ａ、１１Ｂの各掛止片１２の下端部には、傾斜案内部１２ａが形成され、傾斜案内部１２ａの上端部の上に略円弧形状をした掛止部１２ｂが形成されている。また、傾斜案内部１２ａの上端部が、掛止部１２の円弧上端部より内方に位置するように形成されている。
【００３４】
次に、実施の形態（１）に係る足場用幅木１を仮設足場の横架材間に取り付ける手順について説明する。図３（ａ）〜（ｃ）は、実施の形態（１）に係る足場用幅木を仮設足場の横架材間に取り付ける手順を説明するための図であり、それぞれ幅木本体２の外面側から見た正面図である。
【００３５】
図中４０ａ、４０ｂは、仮設足場を構成する横架材を示しており、図中４１ａ、４１ｂ、４１ｃは、足場板を示している。なお、仮設足場の全体構成は図示していないが、一般的には、左右一対の脚柱間に横架材が水平に架け渡された多数の建枠が所定の間隔おきに横方向や鉛直方向に並べて配置されるとともに、隣合う建枠の横架材間に足場板が架け渡され、さらに隣合う建枠の対応する脚柱間に筋交が設けられる構成となっている。
【００３６】
また、図３（ａ）〜（ｃ）では、先に取り付けられた同一構造の足場用幅木１Ａの隣に、足場用幅木１を取り付ける場合を示している。
まず、図３（ａ）に示したように、幅木本体２に固着されている一方の掛止部材１１Ｂの掛止片１２の掛止部１２ｂを、足場板４１ａ、４１ｂの係止フック４２を挟んだ（跨いだ）状態で横架材４０ａに掛止させる。次に他方の掛止部材１１Ａの掛止片１２の傾斜案内部１２ａを、足場板４１ｂ、４１ｃの係止フック４２を挟んだ（跨いだ）状態で横架材４０上に載せる。
【００３７】
なお、幅木本体２の長さＬが、横架材４０ａ、４０ｂ間の中心軸間距離Ｌａより、４ｍｍ〜９ｍｍ程度短く設定されているので、図３（ａ）のように、幅木本体２を斜めに傾かせた状態でも、隣りに既設された足場用幅木１Ａとの接触や干渉が防止されるようになっている。
【００３８】
次に、足場用幅木１の掛止部材１１Ａ側の幅木本体２を下方に向けて所要の力で押し込むと、図３（ｂ）に示したように、掛止部材１１Ａの掛止片１２の傾斜案内部１２ａが、横架材４０ｂに押し当てられた状態のまま、掛止部材１１Ａが、引張バネ２０の引張力に抗して開放位置の方向（矢印Ａ方向）に回動していく。
【００３９】
そして、掛止部材１１Ａの掛止片１２の傾斜案内部１２ａの上端部が、横架材４０ｂの側頂部を超えてさらに下方に押し込まれると、引張バネ２０の引張力により掛止部材１１Ａが掛止位置の方向（矢印Ｂ方向）に回動し始め、図３（ｃ）に示したように、掛止片１２の掛止部１２ｂが横架材４０ｂに押圧状態で掛止され、取り付けが完了する。
【００４０】
また、横架材４０ａ、４０ｂ間に取り付けられた足場用幅木１を取り外す際には、幅木本体２の掛止部材１１Ａ側を所要の力以上で引き上げる操作を行えばよい。幅木本体２の掛止部材１１Ａ側を引き上げる操作を行うと、掛止部材１１Ａが、引張バネ２０の引張力に抗して開放位置の方向（矢印Ａ方向）に回動し始め、掛止部材１１Ａの掛止片１２の傾斜案内部１２ａの上端部が、横架材４０ｂの側頂部を超えてさらに上方に移動して、掛止部材１１Ａの掛止片１２が横架材４０ｂから外れる。その状態のまま上方に引き上げれば、横架材４０ａ、４０ｂ間から足場用幅木１を取り外すことができる。
【００４１】
上記実施の形態（１）に係る足場用幅木１によれば、一方の掛止部材１１Ａが、掛止位置と開放位置と（矢印Ｂ、Ａ方向）の間で回動可能であり、かつ引張バネ２０により一対の掛止片１２が掛止位置の方向（矢印Ｂ方向）に付勢された状態で幅木本体２に枢着されており、また、掛止部材１１Ａの掛止片１２の下端部に傾斜案内部１２ａが形成され、傾斜案内部１２ａの上端部が、掛止部１２ｂの円弧上端部より内方に位置している。
そのため、幅木本体２に枢着された掛止部材１１Ａの一対の掛止片１２の傾斜案内部１２ａを上方より横架材４０ｂに押し当てるだけで（図３参照）、掛止部材１１Ａの一対の掛止片１２が、開放位置方向（矢印Ａ方向）に回動して、その後、掛止部１２ｂが、引張バネ２０による付勢力によって横架材４０ｂに対して押圧状態で掛止される。
【００４２】
したがって、足場用幅木１を横架材４０ａ、４０ｂ間にワンタッチで簡単かつ確実にガタ付くことなく安定した状態に取り付けることができる。また、取り外す場合は、幅木本体２に枢着された掛止部材１１Ａ側の幅木本体２を上方に持ち上げるだけで、掛止部材１１Ａの掛止片１２が、引張バネ２０の付勢力に抗して開放位置の方向（矢印Ａ方向）に回動して、掛止部１２ｂを横架材４０ｂから取り外すことが容易にでき、作業効率を一層高めることができる。また、構成する部品点数が少なく、その作製が容易であるとともに、製作コストを抑えることができ、安価な足場用幅木を提供することができる。
【００４３】
また、幅木本体２が、起立面板２ａの上下端部に外面側への折返し壁２ｂ、２ｃが形成された断面略Ｃ型形状の部材で構成され、掛止部材１１Ａの取付板１３が、起立面板２ａの外面側端部にボルト２１を介して枢着されるとともに、長孔５に挿通されたボルト２３と固着され、取付板１３の上端のバネ係止部１４と起立面板２ａとが、引張バネ２０を介して取付板１３の上端部を内方に付勢した状態で連結されている。したがって、保管や運搬時に足場用幅木１を積み重ねる場合に、幅木本体２の外面側（凹面）を互いに向かい合わせて、互いの折返し壁部２ｂ、２ｃ分を噛み合せた状態でコンパクトに嵩張ることなく重ね合わせることができ、保管スペースや運搬コストの削減を図ることができ、また、軽量で取扱性に優れたものとすることができる。
【００４４】
また、幅木本体２の長さが、規定されている横架材間の中心軸間距離Ｌａより、４ｍｍ〜９ｍｍ短く設定されているので、図３に示したように、足場に取り付ける際、一方の掛止部材１１Ｂの掛止片１２の掛止部１２ｂを横架材４０ａに掛止させて、他方の掛止部材１１Ａの掛止片１２の傾斜案内部１２ａを横架材４０ｂに当てた状態、すなわち、幅木本体２を斜めに傾かせた状態でも、隣りに既設された足場用幅木１Ａとの接触や干渉を防止することができる。
【００４５】
したがって、足場への取付けや取外し時に、隣りに既設された足場用幅木１Ａとの接触や干渉を避けるために、掛止部材１１Ｂの掛止片１２の掛止位置を横架材４０ａの軸方向にずらしたりする作業や手間をなくすことができ、取付けや取外し時の作業性を一層高めることができる。また、隣り合う幅木との間隔を１０ｍｍよりも狭くすることができる。
【００４６】
なお、上記実施の形態（１）では、一方の掛止部材１１Ａだけ、幅木本体２に回動自在に枢着され、引張バネ２０により掛止片１２が掛止位置方向に付勢されている場合について説明したが、別の実施の形態では、両側の掛止部材１１Ａ、１１Ｂを、上記した掛止部材１１Ａと同様、幅木本体２に回動自在に枢着し、引張バネ２０により掛止片１２が掛止位置方向に付勢される構成としてもよい。
【００４７】
図４は、実施の形態（２）に係る足場用幅木を示した図であり、（ａ）は外面側から見た正面図、（ｂ）は背面図である。図５は、実施の形態（２）に係る足場用幅木を構成する幅木本体の背面視左側端部の部分拡大図である。
実施の形態（２）に係る足場用幅木が、実施の形態（１）に係る足場用幅木１と相違する点は、幅木本体と、回動可能な掛止部材との取付構造にある。なお、図１、２に示した実施の形態（１）に係る足場用幅木１と同一機能を有する構成部品には、同一符号を付し、ここではその説明を省略する。
【００４８】
実施の形態（１）に係る足場用幅木１では、起立面板２ａの背面視左側端部に形成されたボルト孔（図示せず）にボルト２１が枢着され、長孔５にボルト２３が挿着された状態で、ボルト２１とボルト２３とが、掛止部材１１Ａの取付板１３に固着され、かつ取付板１３の上端部が、引張バネ２０を介して幅木本体２の内方に付勢された状態で起立面板２ａに連結されており、常時作用している引張バネ２０の付勢力によって、掛止部材１１Ａの掛止片１２が横架材に対して押圧状態で掛止されるようになっている。一方、実施の形態（２）に係る足場用幅木１０では、横架材間に取り付けた際、掛止部材の回動が阻止（ロック）される構造となっている。
【００４９】
図４に示したように、実施の形態（２）に係る足場用幅木１０は、仮設足場を構成する横架材間の距離に応じて所定の長さと幅に形成された幅木本体２Ａと、横架材間に架設された足場板の係止フックを挟んだ状態で横架材に掛止させるために、幅木本体２Ａの両端部から各々下方に向けて取り付けられた一対の掛止片１２を有する掛止部材１１Ｃ、１１Ｂとを備えている。
幅木本体２Ａは、アルミや鋼板等を用いて、所定の長さと幅を有する起立面板２ａの上下端部に外面側への略Ｌ字形状の折返し壁２ｂ、２ｃが形成された部材（Ｃ型チャンネル材）で構成されており、両端下部には、略Ｌ字形状の切欠部３、４が形成されている。
【００５０】
掛止部材１１Ｃ、１１Ｂは、アルミや鋼板等を用いて、起立面板２ａの外面側端部に枢着される略矩形の取付板１３と、取付板１３の下端に二股状に一体形成された一対の掛止片１２とで構成されている。
【００５１】
一方の掛止部材１１Ｃは、少なくとも一対の掛止片１２を横架材に掛止させる掛止位置と一対の掛止片１２を横架材から開放する開放位置との間で回動可能であり、かつ引張バネ２０Ａにより一対の掛止片１２が掛止位置の方向（矢印Ｂ方向）に付勢された状態で幅木本体２Ａに枢着されている。
【００５２】
すなわち、掛止部材１１Ｃの取付板１３が枢着される起立面板２ａの背面視左側端部の中央より上方位置に、掛止部材１１Ｃの回動中心となるボルト２１（第１の軸部材）が挿着される縦長形状をした第１の孔部７が形成されている。また、起立面板２ａの背面視左側端部の中央より下方位置（切欠部３の上方位置）に、ボルト２３（第２の軸部材）が挿着される、掛止部材１１Ｃの回動範囲を規定する横長孔８ａと、ボルト２３（の軸部）が嵌め込まれることにより掛止部材１１Ｃの回動が阻止される縦長孔８ｂとが連通された略Ｌ字形状をした第２の孔部８が形成されている。なお、図５に示したように、縦長孔８ｂは、横長孔８ａの外方端部よりも少し内方に寄った位置で横長孔８ａと連通されており（すなわち孔の角部分が外方に少し出っ張っており）、横長孔８ａの外方端部に位置するボルト２３が、不用意に縦長孔８ｂに嵌め込まれないようになっている。
【００５３】
そして、第１の孔部７の下方にボルト２１を位置させるとともに、第２の孔部８の横長孔８ａの外方にボルト２３を位置させた状態（図４（ｂ）参照）で、ボルト２１とボルト２３とが、掛止部材１１Ｃの取付板１３に固着され、かつ該取付板１３の上端部（バネ係止部１４）が、引張バネ２０Ａを介して幅木本体２Ａの内方に付勢された状態で起立面板２ａに連結されている。すなわち、引張バネ２０Ａの一端側が、掛止部材１１Ｃの取付板１３上端に形成されたバネ係止部１４に係止され、引張バネ２０Ａの他端側が、起立面板２ａに形成された係止孔６に係止されている。
【００５４】
引張バネ２０Ａは、耐久性を有するステンレス鋼線等を用いた引張コイルバネからなり、例えば、実施の形態（１）に係る足場用幅木１で採用される引張バネ２０と同じものを使用することができる。このとき、引張バネ２０Ａの一端側が係止される係止孔６を設ける位置を調整することで、掛止部材１１Ｃの開放位置方向への回動させやすさ（作業性）を適宜調整することができる。また、引張バネ２０Ａとして、実施の形態（１）に係る足場用幅木１で採用される引張バネ２０よりもバネ定数（ｋ）が小さな引張コイルバネを採用してもよい。
【００５５】
また、他方の掛止部材１１Ｂは、ボルト２５、２６、ナット２７、２８によって、幅木本体２に固着されている。掛止部材１１Ｃ、１１Ｂの各掛止片１２の下端部には、傾斜案内部１２ａが形成され、傾斜案内部１２ａの上端部の上に略円弧形状をした掛止部１２ｂが形成されている。また、傾斜案内部１２ａの上端部が、掛止部１２の円弧上端部より内方に位置するように形成されている。
【００５６】
次に、実施の形態（２）に係る足場用幅木１０を仮設足場の横架材間に取り付ける手順について説明する。図６（ａ）〜（ｃ）は、実施の形態（２）に係る足場用幅木１０を仮設足場の横架材間に取り付ける手順を説明するための図であり、それぞれ幅木本体２の一端側（掛止部材１１Ｃ側）の部分背面図である。
【００５７】
図６（ａ）〜（ｃ）では、幅木本体２Ａに固着されている一方の掛止部材１１Ｂの一対の掛止片１２を足場板の係止フックを挟んだ（跨いだ）状態で横架材に掛止させた後、もう一方の掛止部材１１Ｃを横架材に掛止させる状態を示している。なお、簡略化のため、足場板及び足場板の掛止フックの記載を省略しており、また、図３に示した仮設足場を構成する部品と同一機能を有する構成部品には、同一符号を付し、その説明を省略する。
【００５８】
まず、一方の掛止部材１１Ｂの一対の掛止片１２（図４参照）を足場板の係止フックを挟んだ（跨いだ）状態で横架材に掛止させた後、図６（ａ）に示したように、もう一方の掛止部材１１Ｃの一対の掛止片１２の傾斜案内部１２ａを、足場板の係止フック（図示せず）を挟んだ（跨いだ）状態で横架材４０ｂ上に載せる。この時、ボルト２１は、第１の孔部７の下方に位置し、ボルト２３は、第２の孔部８の横長孔８ａの外方端部に位置した状態となっており、掛止部材１１Ｂの掛止片１２が、幅木本体２Ａの外方（矢印Ｂ方向）に付勢された状態となっている。なお、幅木本体２Ａの長さが、横架材間の中心軸間距離より、４ｍｍ〜９ｍｍ程度短く設定されているので、隣りに既設されている足場用幅木との接触や干渉が防止可能となっている。
【００５９】
次に、足場用幅木１０の掛止部材１１Ｃ側の幅木本体２Ａを下方に向けて所要の力で押し込むと、図６（ｂ）に示したように、掛止部材１１Ｃの一対の掛止片１２の傾斜案内部１２ａが、横架材４０ｂに押し当てられた状態のまま、掛止部材１１Ｃが、引張バネ２０Ａの引張力に抗して開放位置方向（矢印Ａ方向）に回動していく。この時、ボルト２１は、第１の孔部７の下方に位置したまま回動し、ボルト２３は、掛止部材１１Ｃの開放位置方向への回動に伴い、第２の孔部８の横長孔８ａの外方から内方へ移動していく。なお、この時の掛止部材１１Ｃの傾斜案内部１２ａが受ける力の向きと、第２の孔部８の縦長孔８ｂの向きとが相違しているため、ボルト２３は、第２の孔部８の縦長孔８ｂに嵌め込まれずに、横長孔８ａの内方へ移動していくようになっている。
【００６０】
そして、掛止部材１１Ｃの一対の掛止片１２の傾斜案内部１２ａの上端部が、横架材４０ｂの側頂部を超えて下方に押し込まれると、引張バネ２０Ａの引張力（収縮力）により掛止部材１１Ｃが掛止位置の方向（矢印Ｂ方向）に回動し始め、ボルト２１は、第１の孔部７の下方に位置したまま回動し、ボルト２３は、第２の孔部８の横長孔８ａの外方へ戻り、その後、掛止部材１１Ｃの一対の掛止片１２の掛止部１２ｂが横架材４０ｂに対して押圧状態で掛止される。
【００６１】
掛止部材１１Ｃの掛止片１２の掛止部１２ｂが横架材４０ｂに対して押圧状態で掛止された状態で、さらに、幅木本体２Ａが下方に押圧されると、図６（ｃ）に示したように、幅木本体２Ａが押し下げられて、第２の孔部８の横長孔８ａから縦長孔８ｂにボルト２３が嵌め込まれるともに、第１の孔部７の上方にボルト２１が位置し、掛止部材１１Ｃの回動が阻止（ロック）された状態で取り付けが完了する。
【００６２】
また、横架材間に取り付けられた足場用幅木１０を取り外す際には、幅木本体２Ａの掛止部材１１Ｃ側を所要の力以上で引き上げる操作を行えばよい。幅木本体２Ａの掛止部材１１Ｃ側を引き上げる操作を行うと、幅木本体２Ａの上方への移動に伴い、ボルト２３が、第２の孔部８の縦長孔８ｂから横長孔８ａに移動するとともに、ボルト２１が、第１の孔部７の上方から下方に移動する。
【００６３】
その後、さらに引き上げ操作が継続されると、掛止部材１１Ｃが、引張バネ２０Ａの引張力に抗して開放位置方向（矢印Ａ方向）に回動し始め、掛止部材１１Ｃの一対の掛止片１２の傾斜案内部１２ａの上端部が、横架材４０ｂの側頂部を超えてさらに上方に移動すると、掛止部材１１Ｃの一対の掛止片１２が横架材４０ｂから外れ、図６（ａ）の状態に戻る。そして、他方の掛止部材１１Ｂを横架材から外して引き上げれば、足場用幅木１０を横架材間から取り外すことができる。
【００６４】
実施の形態（２）に係る足場用幅木１０によれば、横架材に取り付ける場合、起立面板２ａに枢着された掛止部材１１Ｃの一対の掛止片１２を横架材４０ｂ上に載せて押圧すると、ボルト２１が第１の孔部７の下方に位置したまま、引張バネ２０Ａの付勢力に抗して、一対の掛止片１２が内方へ回動していく（この時、ボルト２３は第２の孔部８の横長孔８ａに沿って内方へ移動していく）。
【００６５】
その後、一対の掛止片１２が横架材４０ｂに掛止されると、引張バネ２０Ａの付勢力により一対の掛止片１２が外方へ回動し（この時、ボルト２３は第２の孔部８の横長孔８ａに沿って外方へ戻り）、この状態のまま、幅木本体２Ａが下方へ押圧されると、第２の孔部８の縦長孔８ｂにボルト２３が嵌め込まれるともに、第１の孔部７の上方にボルト２１が位置するように幅木本体２Ａが押し下げられることによって、掛止部材１１Ｃの回動が阻止（ロック）される。
【００６６】
したがって、横架材間に取り付けられた状態では、掛止部材１１Ｃの回動を阻止（ロック）することができ、幅木本体２Ａの起立面板２ａに水平方向からの大きな荷重が加わった場合でも、掛止部材１１Ｃが不意に回動して横架材から外れてしまう虞がなく、取付時の安定性を一層高めることができる。また、取り外す際には、幅木本体２Ａを上方に持ち上げるだけで、掛止部材１１Ｃの回動阻止（ロック）状態が解除されるので、ロック解除に煩雑な操作が必要なく、作業性を損なうことなく、掛止部材１１Ｃの回動阻止（ロック）とその解除とを行うことができる。
【００６７】
また、上記足場用幅木１と同様、保管や運搬時に足場用幅木を積み重ねる場合に、幅木本体２Ａの折返し壁２ｂ、２ｃが形成された凹面（外面側）を互いに向かい合わせて、互いの折返し壁部分を噛み合せた状態でコンパクトに重ね合わせることができ、保管スペースや運搬コストの削減を図ることができ、また、軽量で取扱性に優れたものとすることができる。
【００６８】
なお、上記実施の形態（２）では、一方の掛止部材１１Ｃ側のみ、掛止部材１１Ｃの回動を阻止（ロック）することができる構造が採用されているが、別の実施の形態では、両側の掛止部材１１Ｃ、１１Ｂに対して、それぞれ掛止部材の回動を阻止（ロック）することができる構造を適用しても良い。
【００６９】
また、幅木本体２Ａに形成される第１の孔部７及び第２の孔部８の形状は、掛止部材１１Ｃを回動許可状態から回動阻止状態、回動阻止状態から回動許可状態に切り替えることができる形状であればよく、図５等に示した形状に限定されるものではなく、種々の変形が可能である。また、第１の孔部７の中間付近に孔幅を若干絞り込んだ絞り部を形成し、ボルト２１の上下への移動に抵抗を持たせるようにすれば、掛止部材１１Ｃが回動している状態（図６（ｂ）の状態）において、ボルト２３が、横長孔８ａから縦長孔８ｂにより嵌め込まれにくい形状とすることができる。また、横長孔８ａと縦長孔８ｂとの連結部分に上記と同様な絞り部を形成しても同様の効果が得られる。
【符号の説明】
【００７０】
１、１Ａ、１０  足場用幅木
２、２Ａ  幅木本体
１１Ａ、１１Ｂ、１１Ｃ  掛止部材
１２  掛止片
２０、２０Ａ  引張バネ（弾性部材）
【図１】
0003160446.tif 000003
【図２】
0003160446.tif 000004
【図３】
0003160446.tif 000005
【図４】
0003160446.tif 000006
【図５】
0003160446.tif 000007
【図６】
0003160446.tif 000008
【図７】
0003160446.tif 000009